【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
車両情報収集装置と、車両に搭載されるデータ保安装置とを備え、
前記データ保安装置は、
マスタ鍵と前記車両に対応する識別子とを使用して生成された前記車両の共通鍵を記憶する鍵記憶部と、
自データ保安装置の外部の装置とデータを送受するインタフェース部と、
前記車両のログを対象に前記車両の共通鍵を使用してメッセージ認証符号を生成する暗号処理部と、を備え、前記ログに前記メッセージ認証符号を付したメッセージ認証符号付きログを前記インタフェース部により前記車両情報収集装置に送信し、
前記車両情報収集装置は、
前記車両とデータを送受する車両インタフェースと、
マスタ鍵と前記車両に対応する識別子とを使用して前記車両の共通鍵を生成する鍵生成部と、
前記車両インタフェースにより前記データ保安装置から受信したメッセージ認証符号付きログのメッセージ認証符号を、前記鍵生成部が生成した前記車両の共通鍵を使用して検証する暗号処理部と、
前記メッセージ認証符号の検証が合格したログを格納する記憶部と、を備え、
前記データ保安装置は、前記車両の複数の状態の記録を統合する統合ログを生成する統合ログ生成部をさらに備え、
前記統合ログ生成部は、前記車両の複数の状態の記録について、順次、古い記録に新しい記録を上書きすることにより一定期間分の記録を保持し、所定の事故判定条件を満たした時に当該記録の上書きを停止し、前記事故判定条件を満たした時に保持している前記車両の複数の状態の記録を統合する統合ログを生成し、
前記データ保安装置の暗号処理部は、該統合ログのメッセージ認証符号を、前記車両の共通鍵を使用して生成し、
前記データ保安装置は、該統合ログに該統合ログのメッセージ認証符号を付したメッセージ認証符号付き統合ログを前記インタフェース部により前記車両情報収集装置に送信する、
車両情報収集システム。
【請求項２】
車両に搭載されるデータ保安装置において、
マスタ鍵と前記車両に対応する識別子とを使用して生成された前記車両の共通鍵を記憶する鍵記憶部と、
自データ保安装置の外部の装置とデータを送受するインタフェース部と、
前記車両のログを対象に前記車両の共通鍵を使用してメッセージ認証符号を生成する暗号処理部と、を備え、
前記ログに前記メッセージ認証符号を付したメッセージ認証符号付きログを前記インタフェース部により、マスタ鍵と前記車両に対応する識別子とを使用して前記車両の共通鍵を生成する鍵生成部を備える車両情報収集装置に、送信する、データ保安装置であって、
前記車両の複数の状態の記録を統合する統合ログを生成する統合ログ生成部をさらに備え、
前記統合ログ生成部は、前記車両の複数の状態の記録について、順次、古い記録に新しい記録を上書きすることにより一定期間分の記録を保持し、所定の事故判定条件を満たした時に当該記録の上書きを停止し、前記事故判定条件を満たした時に保持している前記車両の複数の状態の記録を統合する統合ログを生成し、
前記暗号処理部は、該統合ログのメッセージ認証符号を、前記車両の共通鍵を使用して生成し、
前記データ保安装置は、該統合ログに該統合ログのメッセージ認証符号を付したメッセージ認証符号付き統合ログを前記インタフェース部により前記車両情報収集装置に送信する、
データ保安装置。
【請求項３】
車両に搭載されるデータ保安装置が、マスタ鍵と前記車両に対応する識別子とを使用して生成された前記車両の共通鍵を記憶する鍵記憶部を備え、
前記データ保安装置が、前記車両のログを対象に、前記車両の共通鍵を使用してメッセージ認証符号を生成するメッセージ認証符号生成ステップと、
前記データ保安装置が、前記ログに前記メッセージ認証符号を付したメッセージ認証符号付きログを、自データ保安装置の外部の装置とデータを送受するインタフェース部により車両情報収集装置に送信する送信ステップと、
前記車両情報収集装置が、マスタ鍵と前記車両に対応する識別子とを使用して前記車両の共通鍵を生成する鍵生成ステップと、
前記車両情報収集装置が、前記車両とデータを送受する車両インタフェースにより前記データ保安装置から受信したメッセージ認証符号付きログのメッセージ認証符号を、前記鍵生成ステップにより生成した前記車両の共通鍵を使用して検証するメッセージ認証符号検証ステップと、
前記車両情報収集装置が、前記メッセージ認証符号の検証が合格したログを記憶部に格納するログ格納ステップと、を含む車両情報収集方法であって、
前記データ保安装置が前記車両の複数の状態の記録を統合する統合ログを生成する統合ログ生成ステップ、をさらに含み、
前記統合ログ生成ステップは、前記車両の複数の状態の記録について、順次、古い記録に新しい記録を上書きすることにより一定期間分の記録を保持し、所定の事故判定条件を満たした時に当該記録の上書きを停止し、前記事故判定条件を満たした時に保持している前記車両の複数の状態の記録を統合する統合ログを生成し、
前記メッセージ認証符号生成ステップは、該統合ログのメッセージ認証符号を、前記車両の共通鍵を使用して生成し、
前記送信ステップは、該統合ログに該統合ログのメッセージ認証符号を付したメッセージ認証符号付き統合ログを前記インタフェース部により前記車両情報収集装置に送信する、
車両情報収集方法。
【請求項４】
車両に搭載されるデータ保安装置であって、マスタ鍵と前記車両に対応する識別子とを使用して生成された前記車両の共通鍵を記憶する鍵記憶部を備えるデータ保安装置のコンピュータに、
前記車両のログを対象に、前記車両の共通鍵を使用してメッセージ認証符号を生成する暗号処理機能と、
前記ログに前記メッセージ認証符号を付したメッセージ認証符号付きログを、前記データ保安装置の外部の装置とデータを送受するインタフェース部により、マスタ鍵と前記車両に対応する識別子とを使用して前記車両の共通鍵を生成する鍵生成部を備える車両情報収集装置に、送信する送信機能と、
前記車両の複数の状態の記録を統合する統合ログを生成する統合ログ生成機能と、を実現させるためのコンピュータプログラムであって、
前記統合ログ生成機能は、前記車両の複数の状態の記録について、順次、古い記録に新しい記録を上書きすることにより一定期間分の記録を保持し、所定の事故判定条件を満たした時に当該記録の上書きを停止し、前記事故判定条件を満たした時に保持している前記車両の複数の状態の記録を統合する統合ログを生成し、
前記暗号処理機能は、該統合ログのメッセージ認証符号を、前記車両の共通鍵を使用して生成し、
前記送信機能は、該統合ログに該統合ログのメッセージ認証符号を付したメッセージ認証符号付き統合ログを前記インタフェース部により前記車両情報収集装置に送信する、
コンピュータプログラム。
【手続補正２】
【補正対象書類名】明細書
【補正対象項目名】発明の名称
【補正方法】変更
【補正の内容】
【発明の名称】車両情報収集システム、データ保安装置、車両情報収集方法、及びコンピュータプログラム
【手続補正３】
【補正対象書類名】明細書
【補正対象項目名】０００１
【補正方法】変更
【補正の内容】
【０００１】
本発明は、車両情報収集システム、データ保安装置、車両情報収集方法、及びコンピュータプログラムに関する。
【手続補正４】
【補正対象書類名】明細書
【補正対象項目名】０００５
【補正方法】変更
【補正の内容】
【０００５】
本発明は、このような事情を考慮してなされたものであり、ＥＣＵ等の車載コンピュータのログを安全に収集することができる車両情報収集システム、データ保安装置、車両情報収集方法、及びコンピュータプログラムを提供することを課題とする。
【手続補正５】
【補正対象書類名】明細書
【補正対象項目名】０００６
【補正方法】変更
【補正の内容】
【０００６】
（１）本発明の一態様は、車両情報収集装置と、車両に搭載されるデータ保安装置とを備え、前記データ保安装置は、マスタ鍵と前記車両に対応する識別子とを使用して生成された前記車両の共通鍵を記憶する鍵記憶部と、自データ保安装置の外部の装置とデータを送受するインタフェース部と、前記車両のログを対象に前記車両の共通鍵を使用してメッセージ認証符号を生成する暗号処理部と、を備え、前記ログに前記メッセージ認証符号を付したメッセージ認証符号付きログを前記インタフェース部により前記車両情報収集装置に送信し、前記車両情報収集装置は、前記車両とデータを送受する車両インタフェースと、マスタ鍵と前記車両に対応する識別子とを使用して前記車両の共通鍵を生成する鍵生成部と、前記車両インタフェースにより前記データ保安装置から受信したメッセージ認証符号付きログのメッセージ認証符号を、前記鍵生成部が生成した前記車両の共通鍵を使用して検証する暗号処理部と、前記メッセージ認証符号の検証が合格したログを格納する記憶部と、を備え、前記データ保安装置は、前記車両の複数の状態の記録を統合する統合ログを生成する統合ログ生成部をさらに備え、前記統合ログ生成部は、前記車両の複数の状態の記録について、順次、古い記録に新しい記録を上書きすることにより一定期間分の記録を保持し、所定の事故判定条件を満たした時に当該記録の上書きを停止し、前記事故判定条件を満たした時に保持している前記車両の複数の状態の記録を統合する統合ログを生成し、前記データ保安装置の暗号処理部は、該統合ログのメッセージ認証符号を、前記車両の共通鍵を使用して生成し、前記データ保安装置は、該統合ログに該統合ログのメッセージ認証符号を付したメッセージ認証符号付き統合ログを前記インタフェース部により前記車両情報収集装置に送信する、車両情報収集システムである。
【手続補正６】
【補正対象書類名】明細書
【補正対象項目名】０００７
【補正方法】変更
【補正の内容】
【０００７】
（２）本発明の一態様は、車両に搭載されるデータ保安装置において、マスタ鍵と前記車両に対応する識別子とを使用して生成された前記車両の共通鍵を記憶する鍵記憶部と、自データ保安装置の外部の装置とデータを送受するインタフェース部と、前記車両のログを対象に前記車両の共通鍵を使用してメッセージ認証符号を生成する暗号処理部と、を備え、前記ログに前記メッセージ認証符号を付したメッセージ認証符号付きログを前記インタフェース部により、マスタ鍵と前記車両に対応する識別子とを使用して前記車両の共通鍵を生成する鍵生成部を備える車両情報収集装置に、送信する、データ保安装置であって、前記車両の複数の状態の記録を統合する統合ログを生成する統合ログ生成部をさらに備え、前記統合ログ生成部は、前記車両の複数の状態の記録について、順次、古い記録に新しい記録を上書きすることにより一定期間分の記録を保持し、所定の事故判定条件を満たした時に当該記録の上書きを停止し、前記事故判定条件を満たした時に保持している前記車両の複数の状態の記録を統合する統合ログを生成し、前記暗号処理部は、該統合ログのメッセージ認証符号を、前記車両の共通鍵を使用して生成し、前記データ保安装置は、該統合ログに該統合ログのメッセージ認証符号を付したメッセージ認証符号付き統合ログを前記インタフェース部により前記車両情報収集装置に送信する、データ保安装置である。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
（３）本発明の一態様は、車両に搭載されるデータ保安装置が、マスタ鍵と前記車両に対応する識別子とを使用して生成された前記車両の共通鍵を記憶する鍵記憶部を備え、前記データ保安装置が、前記車両のログを対象に、前記車両の共通鍵を使用してメッセージ認証符号を生成するメッセージ認証符号生成ステップと、前記データ保安装置が、前記ログに前記メッセージ認証符号を付したメッセージ認証符号付きログを、自データ保安装置の外部の装置とデータを送受するインタフェース部により車両情報収集装置に送信する送信ステップと、前記車両情報収集装置が、マスタ鍵と前記車両に対応する識別子とを使用して前記車両の共通鍵を生成する鍵生成ステップと、前記車両情報収集装置が、前記車両とデータを送受する車両インタフェースにより前記データ保安装置から受信したメッセージ認証符号付きログのメッセージ認証符号を、前記鍵生成ステップにより生成した前記車両の共通鍵を使用して検証するメッセージ認証符号検証ステップと、前記車両情報収集装置が、前記メッセージ認証符号の検証が合格したログを記憶部に格納するログ格納ステップと、を含む車両情報収集方法であって、前記データ保安装置が前記車両の複数の状態の記録を統合する統合ログを生成する統合ログ生成ステップ、をさらに含み、前記統合ログ生成ステップは、前記車両の複数の状態の記録について、順次、古い記録に新しい記録を上書きすることにより一定期間分の記録を保持し、所定の事故判定条件を満たした時に当該記録の上書きを停止し、前記事故判定条件を満たした時に保持している前記車両の複数の状態の記録を統合する統合ログを生成し、前記メッセージ認証符号生成ステップは、該統合ログのメッセージ認証符号を、前記車両の共通鍵を使用して生成し、前記送信ステップは、該統合ログに該統合ログのメッセージ認証符号を付したメッセージ認証符号付き統合ログを前記インタフェース部により前記車両情報収集装置に送信する、車両情報収集方法である。
【手続補正９】
【補正対象書類名】明細書
【補正対象項目名】００１０
【補正方法】変更
【補正の内容】
【００１０】
（４）本発明の一態様は、車両に搭載されるデータ保安装置であって、マスタ鍵と前記車両に対応する識別子とを使用して生成された前記車両の共通鍵を記憶する鍵記憶部を備えるデータ保安装置のコンピュータに、前記車両のログを対象に、前記車両の共通鍵を使用してメッセージ認証符号を生成する暗号処理機能と、前記ログに前記メッセージ認証符号を付したメッセージ認証符号付きログを、前記データ保安装置の外部の装置とデータを送受するインタフェース部により、マスタ鍵と前記車両に対応する識別子とを使用して前記車両の共通鍵を生成する鍵生成部を備える車両情報収集装置に、送信する送信機能と、前記車両の複数の状態の記録を統合する統合ログを生成する統合ログ生成機能と、を実現させるためのコンピュータプログラムであって、前記統合ログ生成機能は、前記車両の複数の状態の記録について、順次、古い記録に新しい記録を上書きすることにより一定期間分の記録を保持し、所定の事故判定条件を満たした時に当該記録の上書きを停止し、前記事故判定条件を満たした時に保持している前記車両の複数の状態の記録を統合する統合ログを生成し、前記暗号処理機能は、該統合ログのメッセージ認証符号を、前記車両の共通鍵を使用して生成し、前記送信機能は、該統合ログに該統合ログのメッセージ認証符号を付したメッセージ認証符号付き統合ログを前記インタフェース部により前記車両情報収集装置に送信する、コンピュータプログラムである。